【手続補正書】
【提出日】平成27年11月18日(2015.11.18)
【手続補正１】
【補正対象書類名】特許請求の範囲
【補正対象項目名】全文
【補正方法】変更
【補正の内容】
【特許請求の範囲】
【請求項１】
未反応イソシアネート部分を有する、乾燥済みのオーバーインデックス熱可塑性ポリウレタンエラストマー前駆体を製造する方法において、
反応物質を混合し、これらを反応させることにより、オーバーインデックス熱可塑性ポリウレタンエラストマー前駆体を形成するステップ、
前記オーバーインデックス熱可塑性ポリウレタンエラストマー前駆体を水中で冷却することにより、冷却済みの前駆体を形成するステップ、
前記冷却済みの前駆体をペレット化することにより、冷却済みの前駆体ペレットを形成するステップ、
乾燥済みのオーバーインデックス熱可塑性ポリウレタンエラストマー前駆体を形成するように、前記冷却済みの前駆体ペレットを８００ｐｐｍ未満の水分濃度まで乾燥させるステップと、
前記乾燥済みのオーバーインデックス熱可塑性ポリウレタンエラストマー前駆体の水分濃度を８００ｐｐｍ以下に必須的に維持する条件下で、前記乾燥済みのオーバーインデックス熱可塑性ポリウレタンエラストマー前駆体を耐湿性パッケージにパッケージングするステップと、
を含むことを特徴とする方法。
【請求項２】
前記乾燥させるステップは、前記冷却済みの前駆体ペレットを、加熱により３，０００ｐｐｍ未満の水分濃度まで部分的に乾燥させることにより、部分的に乾燥済みの前駆体ペレットを形成するステップと、前記部分的に乾燥済みの前駆体ペレットを不活性ガス流雰囲気において８００ｐｐｍ未満の水分濃度までさらに乾燥させることにより、乾燥済みのオーバーインデックス熱可塑性ポリウレタンエラストマー前駆体を形成するステップをさらに含むことを特徴とする、請求項１に記載の方法。
【請求項３】
前記冷却済みの前駆体ペレットを１，０００ｐｐｍ未満の水分濃度まで部分的に乾燥させることを特徴とする、請求項１に記載の方法。
【請求項４】
前記冷却済みの前駆体ペレットを１，０００ｐｐｍ未満の水分濃度まで部分的に乾燥させることを特徴とする、請求項２に記載の方法。
【請求項５】
前記乾燥済みのオーバーインデックス熱可塑性ポリウレタンエラストマー前駆体が、５００ｐｐｍの水分濃度を有することを特徴とする、請求項１に記載の方法。
【請求項６】
前記乾燥済みのオーバーインデックス熱可塑性ポリウレタンエラストマー前駆体が、３００ｐｐｍの水分濃度を有することを特徴とする、請求項５に記載の方法。
【請求項７】
前記乾燥済みのオーバーインデックス熱可塑性ポリウレタンエラストマー前駆体が、３００ｐｐｍの水分濃度を有することを特徴とする、請求項２に記載の方法。
【請求項８】
前記部分的に乾燥済みの前駆体ペレットを、不活性ガス流を用い７０℃〜９０℃の温度でさらに乾燥させることを特徴とする、請求項２に記載の方法。
【請求項９】
前記部分的に乾燥済みの前駆体ペレットを、不活性ガス流を用いて７０℃〜９０℃の温度でさらに乾燥させることを特徴とする、請求項５に記載の方法。
【請求項１０】
前記オーバーインデックス熱可塑性ポリウレタンエラストマー前駆体が、架橋剤を含むことを特徴とする、請求項１に記載の方法。
【請求項１１】
前記乾燥済みのオーバーインデックス熱可塑性ポリウレタンエラストマー前駆体が、１．０５〜１．３５のＮＣＯインデックスを有することを特徴とする、請求項１に記載の方法。
【請求項１２】
前記乾燥済みのオーバーインデックス熱可塑性ポリウレタンエラストマー前駆体が、１．０６〜１．１８のＮＣＯインデックスを有することを特徴とする、請求項１１に記載の方法。
【請求項１３】
オーバーインデックス熱可塑性ポリウレタンエラストマーを製造する方法において、
反応物質を混合し、これらを反応させて、オーバーインデックス熱可塑性ポリウレタンエラストマー前駆体を形成することにより、未反応イソシアネート部分を有するオーバーインデックス熱可塑性ポリウレタンエラストマー前駆体を製造するステップ、
前記オーバーインデックス熱可塑性ポリウレタンエラストマー前駆体を水中で冷却することにより、冷却済みの前駆体を形成するステップと、
前記冷却済みの前駆体をペレット化することにより、冷却済みの前駆体ペレットを形成するステップと、
乾燥済みのオーバーインデックス熱可塑性ポリウレタンエラストマー前駆体を形成するように、前記冷却済みの前駆体ペレットを８００ｐｐｍ未満の水分濃度まで乾燥させるステップと、
前記乾燥済みのオーバーインデックス熱可塑性ポリウレタンエラストマー前駆体の水分濃度を８００ｐｐｍ以下に必須的に維持する条件下で、前記乾燥済みのオーバーインデックス熱可塑性ポリウレタンエラストマー前駆体を耐湿性パッケージにパッケージングするステップと、
前記乾燥済みのオーバーインデックス熱可塑性ポリウレタンエラストマー前駆体を前記耐湿性パッケージから取り出した後、水との接触により前記乾燥済みのオーバーインデックス熱可塑性ポリウレタンエラストマー前駆体を硬化させるステップと、
を含むことを特徴とする方法。
【請求項１４】
前記乾燥させるステップは、
前記冷却済みの前駆体ペレットを、加熱により３，０００ｐｐｍ未満の水分濃度まで部分的に乾燥させることにより、部分的に乾燥済みの前駆体ペレットを形成するステップと、
前記部分的に乾燥済みの前駆体ペレットを不活性ガス流雰囲気において８００ｐｐｍ未満の水分濃度までさらに乾燥させることにより、乾燥済みのオーバーインデックス熱可塑性ポリウレタンエラストマー前駆体を形成するステップと、
をさらに含むことを特徴とする、請求項１３に記載の方法。
【請求項１５】
前記冷却済みの前駆体ペレットを１，０００ｐｐｍ未満の水分濃度まで部分的に乾燥させることを特徴とする、請求項１３に記載の方法。
【請求項１６】
前記冷却済みの前駆体ペレットを８００ｐｐｍ未満の水分濃度まで部分的に乾燥させることを特徴とする、請求項１４に記載の方法。
【請求項１７】
前記乾燥済みのオーバーインデックス熱可塑性ポリウレタンエラストマー前駆体が、５００ｐｐｍの水分濃度を有することを特徴とする、請求項１３に記載の方法。
【請求項１８】
前記乾燥済みのオーバーインデックス熱可塑性ポリウレタンエラストマー前駆体が、３００ｐｐｍの水分濃度を有することを特徴とする、請求項１７に記載の方法。
【請求項１９】
前記乾燥済みのオーバーインデックス熱可塑性ポリウレタンエラストマー前駆体が、３００ｐｐｍの水分濃度を有することを特徴とする、請求項１４に記載の方法。
【請求項２０】
前記パッケージされたペレット化された前駆体材料が、３００ｐｐｍの水分濃度を有することを特徴とする、請求項１５に記載の方法。
【請求項２１】
前記部分的に乾燥済みの前駆体ペレットを、不活性ガス流を用い７０℃〜９０℃の温度でさらに乾燥させることを特徴とする、請求項１５に記載の方法。
【請求項２２】
前記部分的に乾燥済みの前駆体ペレットを、不活性ガス流を用い７０℃〜９０℃の温度でさらに乾燥させることを特徴とする、請求項１４に記載の方法。
【請求項２３】
前記オーバーインデックス熱可塑性ポリウレタンエラストマー前駆体が、架橋剤を含むことを特徴とする、請求項１３に記載の方法。
【請求項２４】
前記乾燥済みのオーバーインデックス熱可塑性ポリウレタンエラストマー前駆体が、１．０５〜１．３５のＮＣＯインデックスを有することを特徴とする、請求項１３に記載の方法。
【請求項２５】
前記乾燥済みのオーバーインデックス熱可塑性ポリウレタンエラストマー前駆体が、１．０６〜１．１８のＮＣＯインデックスを有することを特徴とする、請求項２４に記載の方法。
【請求項２６】
オーバーインデックス熱可塑性ポリウレタンエラストマーを含む製品を製造する方法において、
反応物質を混合し、これらを反応させて、オーバーインデックス熱可塑性ポリウレタンエラストマー前駆体を形成することにより、未反応イソシアネート部分を有するオーバーインデックス熱可塑性ポリウレタンエラストマー前駆体を製造するステップと、
前駆体を水中で冷却した後、冷却済みの前駆体をペレット化することにより、前駆体ペレットを形成するステップと、
乾燥済みの前駆体ペレットを形成するように、前記前駆体ペレットを８００ｐｐｍ未満の水分濃度まで乾燥させるステップと、
前記乾燥済みの前駆体ペレットを加工して、製品前駆体を形成するステップと、
水との接触により前記製品前駆体を硬化させて、製品を形成するステップと、
を含むことを特徴とする方法。
【請求項２７】
前記冷却したペレット化された前駆体を、５００ｐｐｍ未満の水分濃度まで乾燥させることを特徴とする、請求項２６に記載の方法。
【請求項２８】
前記乾燥済みの前駆体ペレットの水分濃度を８００ｐｐｍ以下に必須的に維持する条件下で、前記乾燥済みの前駆体ペレットを耐湿性パッケージにパッケージングするステップと、
前記乾燥済みの前駆体ペレットを前記耐湿性パッケージから取り出した後、前記乾燥済みの前駆体ペレットを加工して、製品前駆体を形成するステップと、
をさらに含むことを特徴とする、請求項２６に記載の方法。
【請求項２９】
パッケージングしたペレット化された前駆体材料が、５００ｐｐｍの水分濃度を有することを特徴とする、請求項２６に記載の方法。
【請求項３０】
前記乾燥済みの前駆体ペレットが、１．０５〜１．３５のＮＣＯインデックスを有することを特徴とする、請求項２６に記載の方法。
【請求項３１】
前記乾燥済みの前駆体ペレットが、１．０６〜１．１８のＮＣＯインデックスを有することを特徴とする、請求項３０に記載の方法。